Podtech/llm-jp-corpus-v4-ja_patent huggingface dataset:
(57)【要約】【課題】今まで使用していたブラジャーのアンダーバストにパッドを挟むと固定でき、特別なブラジャーは必要なく、今までの自分のブラジャーを使用できるようにする。【解決手段】不織布を山形に積層して作ったパッド４と、その上に積層した保冷剤を入れた山形の袋５と、その上に積層した柔らかい被覆材６とよりなる平面形状がほぼ円形の摘出乳房部補正パッド。【選択図】図４
0003162222.tif 000002
【実用新案登録請求の範囲】
【請求項１】
不織布を山形に積層して作ったパッドと、その上に積層した被覆材とよりなる平面形状がほぼ楕円形の摘出乳房部補正パッド。
【請求項２】
不織布を山形に積層して作ったパッドと、その上に積層した保冷剤を入れた山形の袋と、その上に積層した柔らかい被覆材とよりなる平面形状がほぼ円形の摘出乳房部補正パッド。
【考案の詳細な説明】
【技術分野】この考案は摘出乳房部補正パッドに関するものである。
【技術背景】
近年、乳がん手術により乳房摘出手術が増えて、摘出乳房部補正パッドの需要が増えている。既製品の乳がんパッド、オーダーメイドのパッドが出回ってるが、次の４つの欠点がある。
▲１▼既製品であっても、特別なブラジャーが必要である。従って今まで使っていたブラジャーは使えなくなり、専用のブラジャーを買わなければならない。
▲２▼既製品の乳がんパッドは手術後間もない傷跡に痛みを感じることがある。
▲３▼手術後は個人差はあるが、発汗作用が不調になりやすく、汗を吸収しにくい。
▲４▼脇のリンパを摘出した場合は筋肉が抉れているので、その箇所を補正しにくい。
【考案の概要】
【考案が解決しようとする課題】上記欠点を解決するのがこの考案の課題である。
【課題を解決するための手段】上記課題を解決するために、この考案が提供する摘出乳房部補正パッドは次の（１）と（２）に記載のものである。
（１）不織布を山形に積層して作ったパッドと、その上に積層した被覆材とよりなる平面形状がほぼ楕円形の摘出乳房部補正パッド（以下、第１のパッドという）。
（２）不織布を山形に積層して作ったパッドと、その上に積層した保冷剤を入れた山形の袋と、その上に積層した柔らかい被覆材とよりなる平面形状がほぼ円形の摘出乳房部補正パッド（以下、第２のパッドという）
【考案の効果】この考案によれば次の効果が得られる。
第１のパッドは、今まで使用していたブラジャーの紐に挟んで固定でき、特別なブラジャーは必要なく、今までの自分のブラジャーを使用できる。脇のリンパを摘出した場合はそこの筋肉が抉れているので、その部位はパッドで補正できる。被覆材は柔らかいので、手術後の傷跡に触れても痛くなく、手術直後から使用できる。
第２のパッドは今まで使用していたブラジャーのアンダーバストにパッドを挟んで固定し、特別なブラジャーは必要としない。今までの自分のブラジャーを使用できる。被覆材は柔らかいので、手術の傷跡に触れても痛くなく、手術直後から使用できる。手術後は個人差はあるが、発汗作用が不調和になり特に多汗になる人があるが、汗の吸収が良い。毎日の洗濯に耐える。ブラジャーの洗濯耐用年数とほぼ同じで、清潔に保てる。
【図面の簡単な説明】
【図１】実施例１の摘出乳房部補正パッドの平面図
【図２】図１のＡ−Ａ断面図
【図３】実施例２の摘出乳房部補正パッドの平面図
【図４】図３のＢ−Ｂ断面図
【図５】実施例１，２の摘出乳房部補正パッドの使用状態を示す図
【考案を実施するための形態】
以下、本考案の実施の形態を実施例によって説明する。
【実施例１】実施例１は第１のパッドの実施例である。図１，２は実施例１を示す。図において１は不織布を山形に積層して作ったパッドで、平面形状が楕円型になっている。２はこのパッド１の上に積層した柔らかい被覆材である。実施例の補正パッドＰ１は上記パッド１と被覆材２とより構成されている。３は補正パッドＰ１を２つ折りにして接合するための接着布である。
【実施例２】実施例２は第２のパッドの実施例である。図３，４は実施例２を示す。図において４は不織布を山形に積層して作ったパッドで、平面形状がほぼ円形になっている。５はこのパッド４の上に積層した保冷剤を入れた山形の袋、６はこの袋５の上に積層した柔らかい被覆材である。実施例２の補正パッドＰ２は、上記パッド４と袋５と被覆材６とより構成されている。
図５は実施例１，２の補正パッドＰ１，Ｐ２の使用状態を示す。
摘出した乳房の片方のブラジャーＢの中に補正パッドＰ２を入れ、パッドＰ２の下部分をブラジャーＢのアンダーバストに挟むことにより固定する。補正パッドＰ１はリンパ摘出部補正パッドで２つに折ってブラジャーＢの紐を挟むようにして止める。
【符号の説明】１、パッド
２、被覆材
３、接着布
４、パッド
５、保冷剤を入れた山形の袋
６、被覆材
【図１】
0003162222.tif 000003
【図２】
0003162222.tif 000004
【図３】
0003162222.tif 000005
【図４】
0003162222.tif 000006
【図５】
0003162222.tif 000007
(57)【要約】      （修正有）【課題】植え穴にネギ苗を落とし込んで根深ネギを育てる際に、深い植え穴をあけるのに、安価で、実用性が高く、省力化が計れる穴あけ器具を提供する。【解決手段】ハンドル１の中央にＴ字型に丸棒２を固定し、丸棒は先細りのテーパー状とし、丸棒の先端は円錐形とする。ハンドルを両手で持ち、予め畝たてした畝に垂直に丸棒を押し込み、所定の深さまで押し込んだら、ハンドルを両手で持ち腕の力で丸棒を引き上げて、植え穴を形成する。【選択図】図３
0003162224.tif 000002
【実用新案登録請求の範囲】
【請求項１】
ハンドルに丸棒をＴ字形に固定し、丸棒は先細りのテーパー状とし、先端部は円錐形とした根深ネギ苗の植え穴の穴あけ器具。
【請求項２】
丸棒に木材を使用する場合、請求項１記載の丸棒の先端部に金属製の丸ビスをネジ込んであることを特徴とする、根深ネギ苗の植え穴の穴あけ器具。
【考案の詳細な説明】
【技術分野】
【０００１】  本考案は、根深ネギの栽培につき、畝たてした畝に、植え穴をあけその穴に苗を落とし込み、ネギを育てる為の穴あけに関するものである。
【背景技術】
【０００２】  土壌に植え穴を深く穴あけをする場合、掘削方式か直管を押し込んで穴あけをしている。
【先行技術文献】
【特許文献】
【０００３】
【特許文献】特開２００３−２５０３０７（Ｐ２００３−２５０３０７Ａ）
【非特許文献】
【０００４】
【非特許文献１】社団法人農山漁村文化協会  発行  現代農業２０１０年４月号  巻頭
【考案の概要】
【考案が解決しようとする課題】
【０００５】  根深ネギの栽培は茎の軟白部分を育成させるため、植え穴の深さは３０ｃｍ〜４０ｃｍを必要とし、簡単な構成で、安価で、実用性が高く、省力化が得られて、穴側壁がくずれてネギ苗の落とし込みが困難に成る点を、解決しようとするものである。
【課題を解決するための手段】
【０００６】  本考案は、ハンドルの中央にＴ字形に丸棒を固定し、丸棒の固定されたハンドル側は太く、反対側に行くほど細くなる、テーパー状とし、丸棒の先端部は円錐形にすることにより問題を解決している。
【考案の効果】
【０００７】  上述の様に、本考案は極めて簡単な構成であり、安価で製造できて、実用性が高く、丸棒をテーパー状にすることにより、丸棒を土中に押し込む際に穴側壁に圧力が生じ、穴側壁が崩れにくくなる。丸棒を引き抜く際、丸棒がテーパー状であるので、少ない力で簡単に引き抜くことができる。又先端を円錐形にすることにより、丸棒を押し込む時の土の抵抗を少なくすることができる。
【図面の簡単な説明】
【０００８】
【図１】  本考案の全体図である。
【図２】  本考案の丸棒に木材を使用した場合の丸棒の最先端部の構造である。
【図３】  本考案の使用例である
【考案を実施する為の形態】
【０００９】  図１で示した、ハンドルおよび丸棒の材質は、木材、プラスチック、金属のいずれでもよく、丸棒に木材を使用する場合、図２のように丸棒の先端に金属製の丸ねじをねじ込み、先端の補強をする。ハンドルの長さは、２０〜３０ｃｍである、太さは、ハンドルを両手で握り、丸棒を畝の上に垂直に立て、体重をかけて押し込み、引き抜く時は、ハンドルを１〜２回少し回し、腕の力で引き抜くために、手で握りやすい３０〜４０ｍｍの太さである。丸棒の長さは、４０〜６０ｃｍで、ネギ苗を落とし込んだとき、苗の穂先が５ｃｍ程度穴の上に出るように、苗の長さにあわせて植え穴の深さを調節して、丸棒を押し込む。丸棒の太さは、ハンドル側の直径を３０〜４０ｍｍ反対側の直径を２５〜３５ｍｍのテーパ状とする。
【実施例】
【００１０】    図３の左側は、本考案の丸棒を土中に押し込んだ状態である、丸棒にテーパをつけることにより、植え穴の側壁に圧力がかかり、側壁が崩れにくくなることと、少ない力で丸棒を引き抜くことができる。
図３の右側は、植え穴にネギ苗を落とし込んだ状態で、植え穴の側壁が崩れると、苗の落とし込みができなくなるので、丸棒にテーパをつけて側壁が崩れにくくしている。
【符号の説明】
【００１１】  １  ハンドル
２  丸棒
３  丸ビス
４  ネギ苗
５  畝
６  マルチフイルム
【図１】
0003162224.tif 000003
【図２】
0003162224.tif 000004
【図３】
0003162224.tif 000005
(57)【要約】      （修正有）【課題】弁当箱に保冷（保温）剤を内蔵できるようにした、保冷（保温）剤内蔵機能付き弁当箱を提供する。【解決手段】弁当箱の中蓋部分に、くぼみを設け、そのくぼみの四隅に通気穴を設け、そこに保冷（保温）剤を置く。弁当箱は２段、３段と数段重ねることを可能に形成する。使用する時は、容器５に内容物（ご飯やおかずなど）を入れ、中蓋２で蓋をする。中蓋２のくぼみ部分に、適宜な大きさや厚みの保冷剤３を置き、上蓋１で蓋をする。中蓋の四隅にある通気穴により、より保冷効果が高まる。容器が２段目、３段目と重なる時は、容器５外側、下方の縁取り枠を合わせて使用する。その場合も、それぞれの中蓋２上に保冷剤を置くため、各段均一でより高い保冷効果がある。【選択図】図１
0003162214.tif 000002
【実用新案登録請求の範囲】
【請求項１】
容器と中蓋と上蓋とから成る弁当箱において、中蓋部分にくぼみを設け、くぼみ内側四隅には通気穴が設けられ、中蓋の任意の一角に切り欠き部分が設けられ、くぼみ部分に保冷（保温）剤を置き、２段、３段と数段重ねられることを特徴とする保冷（保温）剤内蔵機能付き弁当箱。
【考案の詳細な説明】
【技術分野】
【０００１】  本発明は、弁当箱に保冷（保温）剤を内蔵できるようにした、保冷（保温）剤内蔵機能付き弁当箱に関するものである。
【背景技術】
【０００２】  従来、持ち歩いたりする弁当を保冷（保温）するには、弁当を入れる袋などに保冷剤（保温）を入れて、袋内の温度を調節していた。
なお、弁当箱下部内側周囲に設けた断熱材層の中に保冷剤をいれ、その直上に金属薄板を設置し、保冷効果を高めた保冷弁当箱がある。（特許文献１参照）。
【先行技術文献】
【０００３】
【特許文献１】  登録実用新案第３１２３００６号広報
【考案の概要】
【考案が解決しようとする課題】
【０００４】  弁当箱は通常、袋に入れたり、布などで包む。保冷（保温）効果を上げる為に、弁当箱と一緒に保冷剤を入れていた。或いは、布などに包む時は、弁当箱の蓋の上に保冷剤を置き、動かないように縛ったりしていた。袋の場合は弁当箱と保冷剤の密着度が少なく、また安定感にも欠ける。布などの場合は、保冷剤が溶けてくると包んでいたものを濡らしてしまう。また、２段重ねの弁当箱などは、中心部の保冷（保温）効果が薄れる。
本考案は、以上の問題点を解決するためになされたものである。
【課題を解決するための手段】
【０００５】  容器と中蓋と上蓋とから成る弁当箱において、中蓋部分に、保冷（保温）剤を置くくぼみを設け、くぼみ内側四隅に通気穴を設ける。中蓋外側の一箇所に切り欠き部分を設ける。弁当箱は２段、３段と数段重ねることが可能である。
以上の構造よりなる保冷（保温）剤内蔵機能付き弁当箱。
【考案の効果】
【０００６】  弁当箱と保冷剤を一緒に袋に入れた時に生じる、保冷剤の不安定感をなくし、弁当箱に保冷剤を密着させることで、従来以上の保冷（保温）効果が期待出来る。弁当箱を数段重ねて使用することが可能であり、その際にも、容器ごとに効果があり見た目もすっきりである。弁当箱の大きさや形状は問わず、保冷剤の大きさや数を弁当箱の大きさに合わせて使用できる。
【図面の簡単な説明】
【０００７】
【図１】本考案を複数重ねての実施例を示す斜視図
【図２】本考案の中蓋部分の構造を示す斜視図
【考案を実施するための形態】
【０００８】  以下、本考案の実施の形態を説明する。
（イ）上蓋（１）の裏側に、四辺が、容器（５）の内側にピッタリはまるように凸縁取り枠があり、蓋と一体型である。
（ロ）中蓋（２）の内側には、保冷剤（３）を置くためのくぼみを設ける。
（ハ）中蓋（２）の内側、四隅に、通気穴（７）を設け，外側、一箇所に切り欠き（６）を設ける。
（ニ）容器（５）の外側、下方には、上蓋（１）と同じ凸縁取り枠が一体となっている。
（ホ）容器（５）の内側四方には、中蓋受け部（４）を設ける。
本考案は以上のような構造である。
本考案を使用する時は、容器（５）に内容物（ご飯やおかずなど）を入れ、中蓋（２）で蓋をする。中蓋（２）のくぼみ部分に、適宜な大きさや厚みの保冷剤（３）を置き、上蓋（１）で蓋をする。中蓋の四隅にある通気穴（７）により、より保冷効果が高まる。容器が２段目、３段目と重なる時は、容器（５）外側、下方の縁取り枠を合わせて使用する。その場合も、それぞれの中蓋（２）上に保冷剤を置くため、各段均一でより高い保冷効果がある。数段重ねて使用出来るので、従来のように、おかずの脇に果物を入れたりしなくても良い。容器（５）は、サンドイッチなどを入れられるようなメッシュのものなど、容器の種類や大きさを変えたりすることにより弁当だけでなく、野菜や肉、魚、果物、花、乳製品などの保管にも効果を発揮できる。また、冷暗場所を好むような工業製品や精密機器部品の保管なども考えられる。中蓋（２）の縁の任意の場所に、中蓋（２）を取り出し易くする為の切り欠き（６）を設けてある。
【符号の説明】
【０００９】（１）上蓋、（２）中蓋、（３）保冷剤、（４）中蓋受け部、（５）容器
（６）切り欠き、（７）通気穴
【産業上の利用可能性】
【００１０】（イ）携帯する弁当箱（仕事場や学校など）
（ロ）集団で利用するような配達型の弁当箱（給食など）
（ハ）ケータリング用の食事
（二）生鮮食料品などの運搬や保管に有効
（ホ）冷暗場所が必要なものの保管に有効
【図１】
0003162214.tif 000003
【図２】
0003162214.tif 000004
(57)【要約】【課題】治療中に腕の旋回頻度を減少可能にすることにより、歯科医師の職業傷害を減少することができ、二つの鏡面を有する歯科医師用口腔鏡を提供する。【解決手段】装置端１１と握り端１２とを有しロッド形状を呈するハンドル１０を有し、装置端１１に鏡枠２０が連結され、装置端１１が適当な角度で外側に延びる歯科医師用口腔鏡において、鏡枠２０は二つの装置面２１を有し、二つの装置面２１に鏡面３０がそれぞれ設けられる。【選択図】図４
0003162308.tif 000002
【実用新案登録請求の範囲】
【請求項１】
装置端（１１）と握り端（１２）とを有しロッド形状を呈するハンドル（１０）を有し、前記装置端（１１）に鏡枠（２０）が連結され、前記装置端（１１）が適当な角度で外側に延びる歯科医師用口腔鏡において、
前記鏡枠（２０）は二つの装置面（２１）を有し、二つの前記装置面（２１）に鏡面（３０）がそれぞれ設けられることを特徴とする歯科医師用口腔鏡。
【請求項２】
二つの前記装置面（２１）に窪み（２２）がそれぞれ設けられ、前記窪み（２２）に前記鏡面（３０）が連結されることを特徴とする請求項１に記載の歯科医師用口腔鏡。
【請求項３】
前記握り端（１２）に滑止用皺（１２１）が複数設けられることを特徴とする請求項１に記載の歯科医師用口腔鏡。
【考案の詳細な説明】
【技術分野】
【０００１】
本考案は、歯科医師用口腔鏡に関する。
【背景技術】
【０００２】
各種類の仕事をするときに、筋肉や骨格の職業傷害を発生する可能性があり、患者を治療する従業者は筋肉や骨格の職業傷害を発生する可能性もある。患者を治療する従業者は、医者、医療管理員、医療技術者、看護婦および事務職員などがあり、仕事の性質により、身体の職業傷害の発生部位が相違する。医者は頸肩腕不均衡（Ｎｅｃｋ  Ｓｈｏｕｌｄｅｒ  Ａｒｍ  Ｐａｉｎ：ＮＳＡＰ）が頻発し、看護婦は、患者を移動することが必要であるため、腰痛が頻発し、事務職員は手根管症候群が頻発する。
【０００３】
しかし、歯科医師は手根管症候群も頻発する。その原因は、治療中に歯科医師が首、胸および腰を特定な姿勢にすることが必要であり、そうすると、筋肉の張力および協調性が悪くなり、腕の張力が増加し、そして治療中に歯科医師の腕を重複して動作させる必要があることにある。
【０００４】
口腔鏡は、歯科医師がよく使用する工具であり、その機能は患者の病気箇所を反射することにある。口腔鏡により、歯科医師は患者の口腔の状況を容易に診断して治療することができる。図１を参照する。図１は従来の口腔鏡の斜視図である。従来の口腔鏡によれば、鏡枠１に鏡面２が一つだけ設けられ、治療中に、歯科医師はロッド３を頻繁に旋回することによって患者の病気箇所を反射することが必要であるため、腕でロッド３を旋回するときに腕の張力が増加し、歯科医師の首が痛み易いという問題があった。
【考案の概要】
【考案が解決しようとする課題】
【０００５】
本考案の主な目的は、治療中に腕の旋回頻度を減少可能にすることにより、歯科医師の職業傷害を減少することができる歯科医師用口腔鏡を提供することにある。
【課題を解決するための手段】
【０００６】
本考案の歯科医師用口腔鏡は、装置端と握り端とを有しロッド形状を呈するハンドルを有し、前記装置端に鏡枠が連結され、前記装置端が適当な角度で外側に延びる歯科医師用口腔鏡において、前記鏡枠は二つの装置面を有し、二つの前記装置面に鏡面がそれぞれ設けられることを特徴とする。
【０００７】
また、本考案の歯科医師用口腔鏡は、二つの前記装置面に窪みがそれぞれ設けられ、前記窪みに前記鏡面が連結されることを特徴とする。
【０００８】
さらに、本考案の歯科医師用口腔鏡は、前記握り端に滑止用皺が複数設けられることを特徴とする。
【考案の効果】
【０００９】
本考案の歯科医師用口腔鏡によれば、治療中に腕の旋回頻度を減少可能にすることにより、歯科医師の腕の職業傷害を減少することができる。
【図面の簡単な説明】
【００１０】
【図１】従来の口腔鏡の斜視図
【図２】本考案の口腔鏡の斜視図
【図３】本考案の口腔鏡の別の視点から見た斜視図
【図４】本考案の口腔鏡の一部の断面図
【考案を実施するための形態】
【００１１】
以下、本考案の実施の形態を図面に基づいて説明する。
【００１２】
まず、図２、図３及び図４を参照する。図２は本考案の口腔鏡の斜視図であり、図３は本考案の口腔鏡の別の視点から見た斜視図であり、図４は本考案の口腔鏡の一部の断面図である。本考案の歯科医師用口腔鏡は、装置端１１と握り端１２とを有しロッド形状を呈するハンドル１０を有し、装置端１１に鏡枠２０が連結され、装置端１１が適当な角度で外側に延び、鏡枠２０は二つの装置面２１を有し、二つの装置面２１に鏡面３０がそれぞれ設けられる。二つの装置面２１に窪み２２がそれぞれ設けられ、窪み２２に鏡面３０が連結される。
【００１３】
また、ハンドル１０は、握り端１２から装置端１１へ徐々に縮径するため、視線の死角を減少することができ、且つ握り端１２に滑止用皺１２１が複数設けられる。
【００１４】
鏡枠２０には、二つの装置面２１と、二つの鏡面３０と、が設けられるため、歯科医師が患者を治療するときに、患者の病気箇所を反射することが便利になり、腕を頻繁に旋回することが必要なくなる。
【００１５】
歯科医師用口腔鏡は、歯科医師のよく使用する工具であり、口腔鏡により、歯科医師は患者の口腔の状況を容易に診断して治療することができる。従来の口腔鏡によれば、鏡枠に鏡面が一つだけ設けられ、治療中に、歯科医師はロッド３を頻繁に旋回することによって患者の病気箇所を反射することが必要であり、腕でロッド３を旋回するときに腕の張力が増加し、歯科医師の首が痛み易い問題があった。
【００１６】
本考案の歯科医師用口腔鏡によれば、鏡枠２０に二つの鏡面３０が設けられるため、歯科医師はロッドを頻繁に旋回することが必要なくなり、手根管症候群を除いて、歯科医師の腕を保護することができ、患者を治療する品質を確保することもできる。
【００１７】
なお、本考案は前記実施の形態に限定されるものではなく、本考案の趣旨に基づいて種々の変形が可能であり、それらを本考案の実用新案登録請求の範囲から排除するものではない。
【産業上の利用可能性】
【００１８】
本考案は、口腔鏡に適用することができる。
【符号の説明】
【００１９】
１：鏡枠
２：鏡面
３：ロッド
１０：ハンドル
１１：装置端
１２：握り端
２０：鏡枠
２１：装置面
２２：窪み
３０：鏡面
１２１：滑止用皺
【図１】
0003162308.tif 000003
【図２】
0003162308.tif 000004
【図３】
0003162308.tif 000005
【図４】
0003162308.tif 000006
(57)【要約】      （修正有）【課題】キャリーを引く時、床面の凹凸により摩擦で手に振動が強くあるという不快感を少なくする、キャリー振動緩和用具を提供する。【解決手段】ベルトを輪にして、中央部分内側２箇所に滑り止め材を設け、滑り止め材の両端にそれぞれマジックテープ（登録商標）の凹部と凸部を設ける。【選択図】図２
0003162352.tif 000002
【実用新案登録請求の範囲】
【請求項１】
キャリ−バックを使って旅行に出掛ける時等，引き手を持って引っ張る時，振動が手に伝わり，不快感があります。
その振動を緩和する為にキャリ−振動緩和用具を使用して手に伝わる振動を緩和することを特徴とする。
【請求項２】
キャリ−カ−トで荷物を運ぶ時，振動を緩和する事を目的に使用する，請求項１に記載するキャリ−振動緩和用具。
【考案の詳細な説明】
【技術分野】
【０００１】この考案は，旅行等に行く時キャリ−バックを使用しますが，床の振動が手に伝わり不快感があります。
それを，解消する為のキャリ−振動緩和用具に関する物である。
【背景技術】
【０００２】従来より，キャリ−バックは存在するが引き手に振動を緩和する用具は他に見当たらない。
【考案の開示】
【考案が解決しようとする課題】
【０００３】キャリ−バックを使って旅行などに行く時，特に女性などは凹凸のある床等は手に響き不快な思いを致します。
又，靴・洋服等は旅行用のものでありスマートに行きたいと考えている人は皆同じ思いである。服装に相応しい旅行などをする為に，キャリ−の引き手に本考案のキャリ−振動緩和用具を取り付けて振動の殆ど感じない楽しい旅行をして頂く為に開発した物である。
【課題を解決する手段】
【０００４】課題を解決するために本考案は，以下の構成とした。
キャリ−振動緩和用具は，キャリ−の引き手に布製の引き手を取り付け，その布製引き手をつかんでキャリ−を引きます。
これにより，床に凹凸で手に響かない構造にした。
【考案の効果】
【０００５】本考案は，下記の効果を有する。
キャリ−を引っ張る時，特に床面に凹凸がある場合手に振動が伝わりとても不快感があります。
キャリ−振動緩和用具を使う事により，振動が極端に少なくなり快適にキャリ−を使用する事が出来る。
【考案を実施するための最良の形態】
【０００６】以下，本考案の実施形態について説明する。
本考案の名称，キャリ−振動緩和用具は，キャリ−を引いて歩く時に握る手に振動が伝わり不快感を感じます。
特に床が真っ平らでない場合は，振動がひどく折角の楽しい旅行も，楽しさが半減します。その振動を緩和する為にキャリ−の握る場所にキャリ−振動緩和用具を取り付け図１の様にすると振動が極端に少なくなる。
女性が国内旅行又は，海外旅行に行く時当然の事としてリャリ−バックを使用します。遠方に出掛けることから着るものも精一杯良いものを着て楽しく，心を弾ませて家を出ます。
しかし，キャリ−の引き手を引っ張っても床の凹凸のある床では振動がありとても不愉快な気持ちになります。
振動があっても，全ての床をなおす事は出来ません。
従ってキャリ−の引き手に，キャリ−振動緩和用具を取り付けて不快な気持をなくしようと考えました。
又，キャリ−振動緩和用具の取り付け方は，知恵の輪的，要素があり初めての人は特に楽しく感じる人が多い。
取り付け方の面白さ・ユニ−クさ・簡単さ・丈夫さがあり且つ，コンパクトで軽量である。
楽しい旅行等に欠かせない用具であり，前述の不快感をいっそうする事が出来る。【０００７】次にキャリ−振動緩和用具の使用方法について説明する。
図３の様に１と４の中間の滑り止め材に引き手が来るようにし内側に曲げる。
１と４をキャリ−の引き手の太さに合わせて張り合わせます。
マジックテープの為しっかり固定出来ます。
【図面の簡単な説明】
【０００８】
【図１】本考案の使用斜視図
【図２】本考案の平面図
【図３】本考案の内部拡大図
【図４】本考案の正面図
【図５】
【符号の説明】
【０００９】１  マジックテープ
２  滑り止材
３  キャリ−振動緩和用具本体
４  マジックテープ
５  キャリ−
６  キャリ−引き手
【図１】
0003162352.tif 000003
【図２】
0003162352.tif 000004
【図３】
0003162352.tif 000005
【図４】
0003162352.tif 000006
【手続補正書】
【提出日】平成22年3月27日(2010.3.27)
【手続補正２】
【補正対象書類名】明細書
【補正対象項目名】０００８
【補正方法】変更
【補正の内容】
【０００８】
【図１】本考案の使用斜視図
【図２】本考案の平面図
【図３】本考案の内部拡大図
【図４】本考案の正面図
【手続補正３】
【補正対象書類名】実用新案登録請求の範囲
【補正対象項目名】全文
【補正方法】変更
【補正の内容】
【実用新案登録請求の範囲】
【請求項１】
ベルトを輪の形にして，中央部分内側２箇所に滑り材を設け，滑り止材の両端にそれぞれマジックテ−プ（登録商標）の凹部と凸部を設けたキャリ−振動緩和用具。
【請求項２】
キャリ−カ−トで荷物を運ぶ時，振動を緩和する事を目的に使用する，請求項１に記載するキャリ−振動緩和用具。
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
ベルトを輪にして，中央部分内側２箇所に滑り止め材を設け，滑り止め材の両端にそれぞれマジックテープ（登録商標）の凹部と凸部を設けた振動緩和用具。
(57)【要約】      （修正有）【課題】スノーボードブーツインナー内の水分の侵入を防ぐことを特徴とするスノーボードブーツインナー用防水防風カバーを提供する。【解決手段】スノーボードブーツアウターとインナーブーツの間に３層防水透湿性生地のインナーブーツカバーを装着することで、インナーブーツ内への水分と風の侵入を防ぐ。３層生地を使用することで、ブーツアウターとブーツインナーの摩擦から起こりうる破損に対して十分な強度を得ることができ、インナーブーツ内のムレも解消される。【選択図】図２
0003162358.tif 000002
【実用新案登録請求の範囲】
【請求項１】
スノーボードブーツインナー内に水分及び風の侵入を防ぐことを特徴とする３層生地製スノーボードブーツインナー用防水防風カバー。
【請求項２】
３層防水透湿性生地を用いることを特徴とする請求項１記載のスノーボードブーツインナー用防水防風カバー。
【考案の詳細な説明】
【技術分野】
【０００１】  この発明は、スノーボードブーツの防水および防風構造に関する。皮及び合成皮革製のスノーボードブーツアウターシェル内にあってブーツインナーを覆うように装着される３層生地製スノーボードブーツインナー用カバー。
【背景技術】
【０００２】  図４の従来のスノーボードブーツは、ブーツアウターの縫い目や、隙間から雪、水分、風が侵入する。
【考案の概要】
【考案が解決しようとする課題】
【０００５】  スノーボード用アウターシェルは、４ａ、４ｂなどのアウターブーツの縫い目や、構造上不完全な４ｃの隙間から雪、水分、風の侵入。その結果、インナーブーツおよびインナーブーツ内が濡れてしまい、その結果足まで濡れてしまう。このように侵入した水は、使用者の足を濡らし、不快感を与えるだけでなく、凍傷を引き起こす原因にもなる。そこで、この考案は、ブーツインナーおよびブーツインナー内部に水分と風の侵入を防ぐ３層生地製の透湿、防水、防風のカバーを提供することを課題とする。
３層生地を使用することで、ブーツアウターシェルとブーツインナーの摩擦から起こりうる破損に対して十分な強度を得ることができる。
【課題を解決するための手段】
【０００６】  以上の課題を解決するために、第一考案は、スノーボードブーツインナー内の水分の侵入を防ぐことを特徴とする３層生地製スノーボードブーツインナー用防水防風カバーである。
このスノーボードブーツインナーは、ブーツインナーの外周面を底から足首、ふくらはぎまで覆うカバーである。
また、第二考案は、３層防水透湿素材を用いることことを特徴とするスノーボードブーツインナーカバー。
【考案の効果】
【０００７】  第一考案、または第二考案によれば、スノーボードブーツインナー内への水分や風の侵入がなくなる。そのことで、保温性効果も期待できる。さらに３層防水透湿生地を用いることで、ブーツ内のムレも解消でき、アウターブーツとインナーブーツの間の摩擦にたいして、十分な強度を持つことができる。
【図面の簡単な説明】
【０００８】
【図３】この考案の一実施形態を示す斜視図である。
【図２】スノーボードブーツインナー斜視図である。
【考案を実施するための形態】
【０００９】  この考案の一実施形態を、図３に示す。３層防水透湿性生地をスノーボードブーツインナーに被せる。
図３の状態をブーツアウターシェルの中に入れて使用する。
【００１０】「実施形態の効果」
この実施形態によれば、スノーボードブーツインナー内への水分、風の侵入を防ぐことができる。
「他の実施形態」
図５の実施形態では、３層防水透湿性生地を用いることで、スノーボードブーツインナー内のムレも防ぐことができる。さらに保温効果も期待できる。３層生地を使用することで、ブーツアウターとブーツインナーの摩擦から起こりうる破損に対して十分な強度を得ることができる。
【符号の説明】
【００１０】１  スノーボードブーツインナー
２  ３層生地製ブーツインナー用防水防風カバー
３  スノーボードブーツインナーと３層生地製ブーツインナー用防水防風カバー
４  スノーボードブーツアウターシェル
５  ３のスノーボードブーツアウターシェルへの装着図
0003162358.tif 000003
0003162358.tif 000004
【図５】
0003162358.tif 000005
【手続補正書】
【提出日】平成22年6月10日(2010.6.10)
【手続補正２】
【補正対象書類名】実用新案登録請求の範囲
【補正対象項目名】全文
【補正方法】変更
【補正の内容】
【実用新案登録請求の範囲】
【請求項１】
スノーボードブーツインナー内に水分及び風の侵入を防ぐことを特徴とする、スノーボードブーツインナーを包み込むような立体的な形でかつ、スノーボードブーツインナーより入り口の部分を広くとった形のスノーボードブーツインナー用防水防風カバー。
【請求項２】
薄く摩擦に強い防水透湿３層構造生地を用いることを特徴とする請求項１記載のスノーボードブーツインナー用防水防風カバー。
【手続補正３】
【補正対象書類名】明細書
【補正対象項目名】０００８
【補正方法】変更
【補正の内容】
【０００８】
【図１】スノーボードブーツインナー及びスノーボードブーツインナーカバーの斜視図である。
【図２】スノーボードブーツインナーにスノーボードブーツインナーカバーを装着した斜視図及び、スノーボードブーツアウターの斜視図である。
【図３】スノーボードブーツインナーにスノーボードブーツインナーカバーを装着し、さらにそれを、スノーボードブーツアウターに装着した斜視図である。
【手続補正４】
【補正対象書類名】図面
【補正対象項目名】全図
【補正方法】変更
【補正の内容】
【図１】
0003162358.tif 000006
【図２】
0003162358.tif 000007
【図３】
0003162358.tif 000008
(57)【要約】      （修正有）【課題】社交ダンスの靴は、靴底の機能低下が速いため、簡単に補修できる粘着シート又は粘着テープを提供する。【解決手段】床面との摩擦が適度な合成皮革１と、粘着力がやや強い粘着剤３との組み合わせにより、靴底に貼れる大きさ・形状の粘着シートか粘着テープを作る。その際、必要に応じて、下塗り剤２・剥離剤４・剥離紙または保護フィルム５を用いる。靴底のボール部分・ヒール部分に、これを圧着して周囲をハサミで切り取ることで、簡単な補修を可能にした。【選択図】図１
0003162357.tif 000002
【実用新案登録請求の範囲】
【請求項１】
木製床面との摩擦が適度な合成皮革１・靴底からの剥離が可能で強い粘着力の粘着剤３・剥離紙または保護フィルム５を組み合わせた、靴底のボール部分６・ヒール部分７よりやや大きい粘着シート。合成皮革１と粘着剤３の性質に応じて、下塗り剤２と剥離剤４を用いる。
【請求項２】
木製床面との摩擦が適度な合成皮革１・下塗り剤２・靴底からの剥離が可能で強い粘着力の粘着剤３・剥離剤４を組み合わせて、円筒形の芯に巻きつけた、靴幅よりやや広い粘着テープ。
【考案の詳細な説明】
【技術分野】
【０００１】
本考案は、ダンスシューズの靴底の機能が低下したときに、簡単に補修できるようにしたものである。
【背景技術】
【０００２】
市販の接着剤で生地を靴底に貼り付けるものや、床面の状態に応じて張り替えるものがあった。
【先行技術文献】
【特許文献】
【０００３】
登録実用新案第３１２２９９８号公報
登録実用新案第３０６０３１３号公報
【考案の概要】
【考案が解決しようとする課題】
【０００４】
社交ダンスのほとんどの靴は、皮革の表面に起毛処理したスエードを、靴底に使用している。ダンスフロアーのワックスやゴミ・油分などが靴底に付着するため、金属製ブラシでこれらを落としている。このため、靴本体の損傷よりも、靴底の起毛がなくなりその機能が低下する方が速いのが通常である。上記の特許文献をはじめ、これを解決するための様々な考案がなされてきたが、実用不能なもの・手間や費用がかかりすぎるものであった。
【課題を解決するための手段】
【０００５】
本考案は、ダンスフロアーとの摩擦が適度な合成皮革１を厳選し、靴底との剥離が可能でダンスに支障がない強度の粘着剤３とを組み合わせ、図２の靴底の接地面よりやや大きい長方形などの粘着シート、または、靴幅より少し広い粘着テープを作ることで、靴底の簡単な補修を可能にした。
【考案の効果】
【０００６】
本考案は、合成皮革を使うことで安価で均質な素材が確保でき、粘着剤の使用で摩耗した合成皮革を剥離できて、何度も繰り返して補修できる。また、靴底の大きさに合わせたシート・テープ状にすることで、家庭用のハサミだけでどの靴にも合う補修ができる。また、靴底の保護も可能である。
【図面の簡単な説明】
【０００７】
【図１】図１は、合成皮革粘着シートの断面を拡大した図である。
【図２】図２は、ダンスシューズの靴底が床面と接する部分の図である。（実施例）
【考案を実施するための形態】
【０００８】
成人男女の靴底の長さは、通常２０〜３０ｃｍ程度である。図２の部分を補修するためには、大きさが１２ｃｍ×１６ｃｍと８ｃｍ×１２ｃｍの長方形シートがあれば十分である。図１の下塗り剤２は、合成皮革１と粘着剤３を密着させるためのものである。剥離剤４は、ダンスフロアーとの激しい接触で合成皮革が摩耗したときに、粘着シートを靴底から剥がすことができるようにするためのものである。合成皮革１から、剥離紙または保護フィルム５までの合計の厚さは、通常１ｍｍ以下である。
【０００９】
シートの形ではなく、市販の粘着テープのような形状にすることも可能である。図１の剥離紙または保護フィルム５だけを除いた長大な粘着シートを、円筒形の芯に巻きつけ、１２ｃｍほどの幅に切断することで、合成皮革の粘着テープが製造できる。テープ状にすることで、補修する靴底に見合った長さだけの使用が可能であり、経済的である。
【実施例】
【００１０】
粘着シートから剥離紙または保護フィルム５をはがし、靴底のボール部分６（つま先側）とヒール部分７（かかと側）に圧着して、図２の太線のように靴の大きさに合わせてハサミで切れば、補修ができる。粘着テープでも同様である。なお、ハイヒール型の靴には、ヒールカバーが市販されており、ヒール部分の補修は必要ない。
【符号の説明】
【００１１】
１    合成皮革
２    下塗り剤
３    粘着剤
４    剥離剤
５    剥離紙または保護フィルム
【００１２】
６    靴底のボール部分
７    靴底のヒール部分
【図１】
0003162357.tif 000003
【図２】
0003162357.tif 000004
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
社交ダンスの靴底に直接貼ることにより、靴底機能を補修する合成皮革の粘着シート
【請求項２】
社交ダンスの靴底に直接貼ることにより、靴底機能を補修する合成皮革の粘着テープ
【手続補正２】
【補正対象書類名】図面
【補正対象項目名】全図
【補正方法】変更
【補正の内容】
【図１】
0003162357.tif 000005
【図２】
0003162357.tif 000006
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
粘着シートの強粘着剤側に合成皮革の裏面を密着させ、再剥離粘着剤側を剥離紙で保護した、各サイズの社交ダンスシューズの靴底機能を補修する合成皮革粘着シート
【請求項２】
請求項１の合成皮革粘着シートを剥離紙で保護せず、合成皮革の表面に剥離剤を塗って、途中で切断することなく連続的に円筒形に巻きつけた合成皮革粘着テープ
(57)【要約】      （修正有）【課題】肥料散布機において散布機の開閉シャッター操作が運転席にいながらにして出来る構造にした散布機のシャッター操作装置を提供する。【解決手段】トラックターに取り付けた肥料を貯留する容器下部に円系の開口部が有り、開口部面に左右スライドする長方形のシャッター６を設け片方に円系の開口部を有し左右移動する事で排出、停止の切り替え可能な装置において、シャッターに組み込んだ左右異なるウエイトは作業機が上昇すると作業機に取り付けたウエイト受けに乗る事で重みが解除になりシャッターが片方に移動し開閉させる事が出来る構造を特徴として散布機のシャッター作動装置を構成する。【選択図】図１
0003162369.tif 000002
【実用新案登録請求の範囲】
【請求項１】
肥料を貯留する容器排出口に、シャッター装置が組み込まれた装置において、付属作業機の上下する工程と左右に異なるウエイトを組み込み開閉させる事が出来る事を特長とする散布機のシャッター作動装置。
【請求項２】
請求項１記載において、排出口の開閉を作業機が上下する移動長さでシャッターを強制的に引く工程をすることを特長とするシャッター作動装置。
【考案の詳細な説明】
【技術分野】
【０００１】  本考案は肥料を散布する散布機のシャッターを開閉させる構造に関するものである。
【背景技術】
【０００２】  散布機、排出口のシャッターを左右に移動させて散布量調整、排出、停止装置においては、操作方法としてモーターでシャッターの開閉をした特許文献１が知らされている。
【先行技術文献】
【特許文献１】
【０００３】  特許第４４２３５９３号公報  特許第４３９１３８９号公報
【考案の概要】
【考案が解決しようとする課題】
【０００４】  前記従来技術は排出構造のシャッターに肥料の重圧抵抗か有る為に構造が複雑で部品点数も多くメンテナンスが大変である。
そこで、本考案はシャッターに肥料の重圧を無くした機能を有し、付属作業機の操作と連携でシャッターの開閉が出来る構造を提供するものとします。
【課題を解決しようとする手段】
【０００５】  請求項１は肥料を貯留する容器排出口に、シャッター装置が組み込まれた装置において、付属作業機の上下する工程と左右に異なるウエイトを組み込み開閉させる事が出来る事を特長とする散布機のシャッター作動装置、図１で説明すると、ホッハー１の肥料５は調整フレーム４とホッパー止めブチ１１により排出を抑えられている、排出ペラ３を囲う円形調整フレーム４は軸を基に上下し肥料５の流量を調整する機能を有し、排出構造は軸２の先端に排出ペラ３をモーター１８で回転させてシュート管１２より排出される、しかし調整フレーム４とホッパー止めブチ１１内の肥料５は作業機の振動で漏れるのでシュート管１２と排出口１３の間をシャッター６で閉にして散布使用時のみシャッターが開く構成とし提供したものである。
【考案の効果】
【０００６】道路走行や圃場作業で折り返し時の漏れをなくして作業効率を良くする事が出来る。
【図面の簡単な説明】
【０００７】
【図１】散布機の排出構造断面図である。
【図２】ホッパー底面と左右ウエイト図である。
【図３】農耕用作業車２１に作業機１４と肥料散布機２０の図である。
【図４】作業機１４を取り付けた３点リンク側面図である。
【考案を実施するための形態】
【０００８】図１におてい散布状態を示すものである、モーター１８に組み込んだ軸２が回転すると排出ペラ３で排出口１３に送り出し排出、作業機１４のトップリンクを上昇させたらウエイト９ａはウエイト受け１９に乗る事で滑車１６ａの重力が、解除になり左ウエイト９ｂが下がりシャッター６は閉になる、尚ウエイトの重量はウエイト９ａが９ｂより重い構造である。
【実施例】
【０００９】請求項２の例で説明すると、作業機１４がトップリンク１０の支点リブ２４を基に作業機を上げる工程により金具１５は引く機能になり左ワイヤー８ｂで引かれてシャッターが閉になる、尚作業機を上げた時は散布も停止するのでモーター１８、は回転しない為シャッター６の上部には肥料５の溜まりが無く開が楽に出来る、引き工程で過剰な力でシャッター６の負担、安全装置として引きスプリング１７を金具１５に取り付してシャッター６の装置保護も兼ねる。
【産業上の利用可能性】
【００１０】前記２式の散布シャッター開閉方式の考案で次のような効果が得られる。
作業機が上がる時は常にシャッターが閉まり肥料５漏れが無くなり経費節約になる。キャビン型のトラックターであっても運転席にいながらにしてシャッターの開閉が出来る、尚従来技術より部品点数が少ない為に安価に仕上がる利点もある。
【符号の説明】１    ホッパー
２    軸
３    排出ペラ
４    調整フレーム
５    肥料
６    シャッター
７ａ  支持フレーム
７ｂ  支持フレーム
８ａ  右ワイヤー
８ｂ  左ワイヤー
９ａ  右ウエイト
９ｂ  左ウエイト
１０  トップリンク
１１  ホッパー止めブチ
１２  シュート管
１３  排出口
１４  作業機
１５  金具
１６  滑車
１７  引きスプリング
１８  モーター
１９  ウエイト受け
２０  散布機
２１  農耕用作業車
２２  ロアリンク
２３  流量調整目盛
２４  支点リブ
【図１】
0003162369.tif 000003
【図２】
0003162369.tif 000004
【図３】
0003162369.tif 000005
【図４】
0003162369.tif 000006
【手続補正書】
【提出日】平成22年6月10日(2010.6.10)
【手続補正１】
【補正対象書類名】実用新案登録請求の範囲
【補正対象項目名】全文
【補正方法】変更
【補正の内容】
【実用新案登録請求の範囲】
【請求項１】
トラックターに取り付けた肥料を貯留する容器下部に円系の開口部が有り、開口部面に左右スライドする長方形のシャッターを設け片方に円系の開口部を有し左右移動する事で排出、停止の切り替え可能な装置において、シャッターに組み込んだ左右異なるウエイトは作業機が上昇すると作業機に取り付けたウエイト受けに乗る事で重みが解除になりシャッターが片方に移動し開閉させる事が出来る構造を特徴とする散布機のシャッター作動装置。
【請求項２】
請求項１記載のシャッター作動装置において、トラックターに取り付けた作業機の上下工程でシャッターを動かす構造として、シャッターの両端を作業機とワイヤー、アームとで連結し作業機が上下する位置の変動を利用してシャッターを強制的に開閉出来る事を特徴とするシャッター作動装置。
(57)【要約】      （修正有）【課題】ガスコンロの設置位置が低く、加熱調理時に鍋周辺に排出される高温の排気ガスにより調理人の足元や部屋の壁面が高温となってしまうのを防止することができるガスコンロ用遮熱筒を提供する。【解決手段】外側壁１の内側に一回り小さな内側壁２を配置し、２枚の側壁をスペーサー４等により固定し、熱を遮断する空気層を設ける。固定された２枚の側壁の底部が床面に接しないように脚３を外側壁１の底部より下に出るように固定する。各部はＳＵＳをはじめとする金属で形成する。尚、外側壁１と内側壁２の間への油分の流入をふせぐ為、外側壁１の上端部には内側壁２の上端部に接しない位置で上部板５を取り付ける。このように形成した遮熱筒をガスコンロの操作部が遮熱筒の側壁の底部から出るように配置する。【選択図】図１
0003162362.tif 000002
【実用新案登録請求の範囲】
【請求項１】
ガスコンロの燃焼部を囲む遮熱筒であり、内側壁と外側壁を形成し、該内側壁と該外側壁の間に空気層を設けて成ることを特徴とする。
【請求項２】
内側壁と外側壁の前方を着脱式とする請求口１のガスコンロ用遮熱筒
【考案の詳細な説明】
【技術分野】
【０００１】本考案は、寸胴鍋等の調理に使用するガスコンロの燃焼時に、鍋周辺に排出される高温の排気ガスを遮断する遮熱筒に関するものである。
【背景技術】
【０００２】従来より、寸胴鍋を使用して調理する場合は、五徳の位置が低いローレンジ（ガスコンロ）や床置きのガスコンロに寸胴鍋を載置して過熱調理を行なうのが一般的である。【０００３】ガスコンロは、燃焼ガスバーナーの上方に五徳を設け、寸胴鍋等を載置して加熱調理をおこなうものであるが、燃焼ガスバーナーの火炎によって鍋底を過熱すると同時に鍋底に作用した高温の排気ガスが鍋周囲に排出される。
【考案の開示】
【考案が解決しようとする課題】
【０００４】このようなガスコンロにあっては、ガスコンロの設置位置が低い為、鍋周囲に排出された高温の排気ガスは、調理人の足元に当たり不快であった。
さらにガスコンロを部屋の壁面に近接して設置した場合は、壁面が加熱されて損傷する惧れもある。
【課題を解決するための手段】
【０００５】本考案は、上記の課題を解決するために以下の考案を提供する。【０００６】（１）  ガスコンロの燃焼部を２枚の遮熱壁で囲み、内側壁と外側壁との間に熱を遮断する為の空気層を設けたガスコンロ用遮熱筒
（２）  内側壁と外側壁の前方を着脱式にした上記（１）に記載のガスコンロ用遮熱筒
【考案の効果】
【０００７】本考案によれば、ガスコンロの燃焼部を囲んだ内側壁が排出された高温の排気ガスを遮断する。内側壁は排気ガスにより加熱されるが、外側壁との間の空気層により外側壁には熱が伝わりにくくなり、調理人の足元や部屋の壁面が高温になるのを防止することができる。
さらに、内側壁によって遮断された高温の排ガスは鍋側面に沿って上昇する為、鍋側面を加熱し、熱効率を上げることができる。
【考案を実施するための最良の形態】
【０００８】本考案のガスコンロ用遮熱筒は、寸胴鍋等にて加熱調理する場合に、低く設置したガスコンロから排出される高温の排気ガスにより、調理人の足元や、部屋の壁面が高温になるのを防ぐ方法として、ガスコンロの燃焼部を２枚の遮熱壁で囲み、内側壁と外側壁との間に空気断熱の層をつくることで、熱を遮断するものである。【０００９】さらに、寸胴鍋を移動させるには遮熱筒の上部まで持ち上げる必要があるが、遮熱壁の前方を着脱式にすることで、鍋を移動する時には前方の遮熱壁を取除き鍋を手前に引き出すことで、簡単に移動させることができる。【００１０】以下、本考案の実施の形態を図面に基づいてさらに詳細に説明する。
図１は、本考案を含む器具の断面図、図２は本考案の一実施形態の斜視図である。【００１１】本考案の遮熱筒は、図１、図２に示すように、外側壁１の内側に一回り小さな内側壁２を配置し、２枚の側壁をスペーサー４等により固定する。  固定された２枚の側壁の底部が床面に接しないように脚３を外側壁１の底部より下に出るように固定する。  各部はＳＵＳをはじめとする金属で形成する。尚、外側壁１と内側壁２の間への油分の流入をふせぐ為、外側壁１の上端部には内側壁２の上端部に接しない位置で上部板５を取り付けた。但し、本考案の課題の解決においては、上部板のない構造であっても、問題はない。  このように形成した遮熱筒を図１に示すように、ガスコンロの操作部が遮熱筒の側壁の底部から出るように配置する。【００１２】尚、寸胴鍋を簡単に移動させる方法としては、図３に示したように、外側壁１と内側壁２の前面上部を着脱式にして、移動時にはこの前面上部を取りはずすと寸胴鍋を遮熱筒の上部まで持ち上げずに、前面に引き出して移動させることができる。
【図面の簡単な説明】
【図１】本考案を含む器具の断面図
【図２】本考案の斜視図
【図３】本考案の側壁面の一部を着脱式として取外した状態の側面図
【符号の説明】  １は外側壁
２は内側壁
３は脚
４はスペーサー
５は上部板
【図１】
0003162362.tif 000003
【図３】
0003162362.tif 000004
【図２】
0003162362.tif 000005
【手続補正書】
【提出日】平成22年6月9日(2010.6.9)
【手続補正１】
【補正対象書類名】実用新案登録請求の範囲
【補正対象項目名】全文
【補正方法】変更
【補正の内容】
【実用新案登録請求の範囲】
【請求項１】
ガスコンロの燃焼部を囲む遮熱筒であり、内側壁と外側壁を形成し、該内側壁と該外側壁の間に空気層を設けて成ることを特徴とするガスコンロ用遮熱筒。
【請求項２】
内側壁と外側壁の前方を着脱式とする請求項１のガスコンロ用遮熱筒